(57)【要約】  【課題】  バランスドアーマチャ型の電気音響変換器において、これをコンパクトな構成に維持した上で、そのアーマチャを片持ち支持するフレームの中間部の剛性を高める。  【解決手段】  １対のマグネット２４間および励磁コイル２８内を後方側から貫通するように配置されたアーマチャ３４の後端部を、励磁コイル２８をその後方側から略コ字状に囲むように配置されたフレーム３２の後面壁３２ａにおいて支持する構成とする。その際、フレーム３２の後面壁３２ａとその前方に隣接配置されたボビン２２のターミナル保持部３６との間の隙間にエポキシ系接着剤５０を充填し、このエポキシ系接着剤５０によってフレーム３２の後面壁３２ａをボビン２２のターミナル保持部３６と接着固定された状態とすることにより、上記隙間にエポキシ系接着剤５０が充填されていない場合に比して、フレーム３２の後面壁３２ａの剛性を大幅に高める。  【選択図】          図１
2005236844.tif 000002
【特許請求の範囲】
【請求項１】
ハウジング内に、ダイヤフラムとこのダイヤフラムを振動させる駆動ユニットとが収容されてなる電気音響変換器において、
上記駆動ユニットが、所定間隙をおいて対向配置された１対のマグネットと、これらマグネットを保持する磁性ホルダと、この磁性ホルダと隣接する位置に、中心軸が上記両マグネット間を通るように配置された励磁コイルと、この励磁コイルを上記磁性ホルダとは反対側から略コ字状に囲むように配置されるとともに両端部が上記磁性ホルダに固定された金属製のフレームと、上記両マグネット間および上記励磁コイル内を貫通するように配置され、一端部において上記フレームの中間部に固定されるとともに所定部位において連結片を介して上記ダイヤフラムに連結された金属製のアーマチャとを備えてなり、
上記フレームの中間部が、上記ハウジングの周面壁と所定間隔をおいて配置されており、このフレームの中間部と上記ハウジングの周面壁との間の隙間に接着剤が充填されている、ことを特徴とする電気音響変換器。
【請求項２】
ハウジング内に、ダイヤフラムとこのダイヤフラムを振動させる駆動ユニットとが収容されてなる電気音響変換器において、
上記駆動ユニットが、所定間隙をおいて対向配置された１対のマグネットと、これらマグネットを保持する磁性ホルダと、この磁性ホルダと隣接する位置に、中心軸が上記両マグネット間を通るように配置された励磁コイルと、この励磁コイルを上記磁性ホルダとは反対側から略コ字状に囲むように配置されるとともに両端部が上記磁性ホルダに固定された金属製のフレームと、上記両マグネット間および上記励磁コイル内を貫通するように配置され、一端部において上記フレームの中間部に固定されるとともに所定部位において連結片を介して上記ダイヤフラムに連結された金属製のアーマチャとを備えてなり、
上記励磁コイルが、該励磁コイル内を上記アーマチャと略平行に貫通するように配置されたボビンに支持されており、
このボビンの一端部が、上記フレームの中間部と所定間隔をおいて配置されており、このボビンの一端部と上記フレームの中間部との間の隙間に接着剤が充填されている、ことを特徴とする電気音響変換器。
【請求項３】
上記フレームの中間部が、上記ハウジングの周面壁と所定間隔をおいて配置されており、このフレームの中間部と上記ハウジングの周面壁との間の隙間に接着剤が充填されている、ことを特徴とする請求項２記載の電気音響変換器。
【請求項４】
上記フレームと上記アーマチャとが一体で構成されている、ことを特徴とする請求項１〜３いずれか記載の電気音響変換器。
【請求項５】
上記接着剤として、エポキシ系接着剤が用いられている、ことを特徴とする請求項１〜４いずれか記載の電気音響変換器。
【発明の詳細な説明】
【技術分野】
【０００１】
本願発明は、いわゆるバランスドアーマチャ型の電気音響変換器に関するものである。
【背景技術】
【０００２】
バランスドアーマチャ型の電気音響変換器は、低消費電力でかつ電気音響変換効率が高く、小型であっても所要の出力を得ることができるので、補聴器用のレシーバ等として多く用いられている。
【０００３】
このバランスドアーマチャ型の電気音響変換器は、例えば「特許文献１」に記載されているように、ハウジング内に、ダイヤフラムとこれを振動させる駆動ユニットとが収容された構成となっている。
【０００４】
そして、この電気音響変換器の駆動ユニットは、所定間隙をおいて対向配置された１対のマグネットと、中心軸が両マグネット間を通るように配置された励磁コイルと、両マグネット間および励磁コイル内を貫通するように配置された金属製のアーマチャとを備えてなり、励磁コイルに信号電流を印加してアーマチャを撓み変形させることによりダイヤフラムを振動させるようになっている。
【０００５】
その際、上記アーマチャは、その一端部において、励磁コイルを磁性ホルダとは反対側から略コ字状に囲むように配置された金属製のフレームの中間部に固定されるとともに、その所定部位において、連結片を介してダイヤフラムに連結されている。
【０００６】
【特許文献１】特開昭５８−９９０９８号公報
【発明の開示】
【発明が解決しようとする課題】
【０００７】
しかしながら、このようなバランスドアーマチャ型の電気音響変換器においては、上記「特許文献１」にも記載されているように、フレームの両端部が、両マグネットを保持する磁性ホルダに固定されているので、フレームの中間部に、アーマチャを片持ち支持するのに十分な剛性を確保することが困難となり、このため電気音響変換器の最低共振周波数をあまり高めることができない、という問題がある。
【０００８】
特に、上記「特許文献１」に記載された電気音響変換器のように、フレームとアーマチャとが一体で構成されている場合には、フレームの中間部の剛性を確保することが一層困難なものとなる。
【０００９】
これに対し、フレームの板厚を厚くすれば、その中間部の剛性を高めることが可能となるが、このようにした場合には、板厚を厚くした分だけ電気音響変換器が大型化してしまう、という問題がある。しかも、フレームとアーマチャとが一体で構成されている場合には、アーマチャの板厚も厚くなるので、駆動ユニットの他の構成要素とのクリアランスを確保する必要上、電気音響変換器がさらに大型化してしまう、という問題がある。
【００１０】
本願発明は、このような事情に鑑みてなされたものであって、バランスドアーマチャ型の電気音響変換器において、これをコンパクトな構成に維持した上で、そのアーマチャを片持ち支持するフレームの中間部の剛性を高めることができる電気音響変換器を提供することを目的とするものである。
【課題を解決するための手段】
【００１１】
本願発明は、フレームの中間部とこれに近接する他の所定部材との間に接着剤が充填された構成とすることにより、上記目的達成を図るようにしたものである。
【００１２】
すなわち、本願第１発明に係る電気音響変換器は、
ハウジング内に、ダイヤフラムとこのダイヤフラムを振動させる駆動ユニットとが収容されてなる電気音響変換器において、
上記駆動ユニットが、所定間隙をおいて対向配置された１対のマグネットと、これらマグネットを保持する磁性ホルダと、この磁性ホルダと隣接する位置に、中心軸が上記両マグネット間を通るように配置された励磁コイルと、この励磁コイルを上記磁性ホルダとは反対側から略コ字状に囲むように配置されるとともに両端部が上記磁性ホルダに固定された金属製のフレームと、上記両マグネット間および上記励磁コイル内を貫通するように配置され、一端部において上記フレームの中間部に固定されるとともに所定部位において連結片を介して上記ダイヤフラムに連結された金属製のアーマチャとを備えてなり、
上記フレームの中間部が、上記ハウジングの周面壁と所定間隔をおいて配置されており、このフレームの中間部と上記ハウジングの周面壁との間の隙間に接着剤が充填されている、ことを特徴とするものである。
【００１３】
また、本願第２発明に係る電気音響変換器は、
ハウジング内に、ダイヤフラムとこのダイヤフラムを振動させる駆動ユニットとが収容されてなる電気音響変換器において、
上記駆動ユニットが、所定間隙をおいて対向配置された１対のマグネットと、これらマグネットを保持する磁性ホルダと、この磁性ホルダと隣接する位置に、中心軸が上記両マグネット間を通るように配置された励磁コイルと、この励磁コイルを上記磁性ホルダとは反対側から略コ字状に囲むように配置されるとともに両端部が上記磁性ホルダに固定された金属製のフレームと、上記両マグネット間および上記励磁コイル内を貫通するように配置され、一端部において上記フレームの中間部に固定されるとともに所定部位において連結片を介して上記ダイヤフラムに連結された金属製のアーマチャとを備えてなり、
上記励磁コイルが、該励磁コイル内を上記アーマチャと略平行に貫通するように配置されたボビンに支持されており、
このボビンの一端部が、上記フレームの中間部と所定間隔をおいて配置されており、このボビンの一端部と上記フレームの中間部との間の隙間に接着剤が充填されている、ことを特徴とするものである。
【００１４】
上記「電気音響変換器」の種類は特に限定されるものではなく、例えば、レシーバ、スピーカ、ブザー等が採用可能である。
【００１５】
上記「アーマチャ」は、フレームの中間部に固定されているが、その具体的な固定構造は、フレームと別体で構成されたアーマチャが溶接等の固定手段によってフレームに固定された構造であってもよいし、アーマチャがフレームと一体で構成された構造であってもよい。
【００１６】
上記「所定部位」は、アーマチャにおける一端部以外の部位であれば、その具体的な位置は特に限定されるものではなく、アーマチャの他端部であってもよいし、アーマチャ中間部であってもよい。
【００１７】
上記「接着剤」は、フレームの中間部とハウジングの周面壁あるいはボビンの一端部とを接着固定し得るものであれば、特定種類の接着剤に限定されるものではなく、例えば、エポキシ系接着剤、アクリル系接着剤、シリコーン系接着剤、ゴム系接着剤等が採用可能である。また、この「接着剤」の充填量や充填範囲についても、特に限定されるものではない。
【発明の効果】
【００１８】
上記構成に示すように、本願発明に係る電気音響変換器は、その駆動ユニットが、所定間隙をおいて対向配置された１対のマグネットと、これらマグネットを保持する磁性ホルダと、この磁性ホルダと隣接する位置に、中心軸が両マグネット間を通るように配置された励磁コイルと、この励磁コイルを磁性ホルダとは反対側から略コ字状に囲むように配置されるとともに両端部が磁性ホルダに固定された金属製のフレームと、両マグネット間および励磁コイル内を貫通するように配置され、一端部においてフレームの中間部に固定されるとともに所定部位において連結片を介してダイヤフラムに連結された金属製のアーマチャとを備えた構成となっているので、励磁コイルに所定の信号電流を印加してアーマチャを撓み変形させることにより、ダイヤフラムを振動させることができる。
【００１９】
その際、本願第１発明に係る電気音響変換器は、そのフレームの中間部がハウジングの周面壁と所定間隔をおいて配置されているが、これらフレームの中間部とハウジングの周面壁との間の隙間には接着剤が充填されているので、この接着剤によってフレームとハウジングとが接着固定されることとなり、これによりフレームの中間部の剛性を高めることができる。
【００２０】
また、本願第２発明に係る電気音響変換器は、その励磁コイルが、該励磁コイル内をアーマチャと略平行に貫通するように配置されたボビンに支持されるとともに、このボビンの一端部がフレームの中間部と所定間隔をおいて配置されているが、これらボビンの一端部とフレームの中間部との間の隙間には接着剤が充填されているので、この接着剤によってボビンとフレームとが接着固定されることとなり、これによりフレームの中間部の剛性を高めることができる。
【００２１】
このように本願発明によれば、バランスドアーマチャ型の電気音響変換器において、これをコンパクトな構成に維持した上で、そのアーマチャを片持ち支持するフレームの中間部の剛性を高めることができる。そしてこれにより電気音響変換器の最低共振周波数を高めることができる。
【００２２】
その際、接着剤の充填量や充填範囲を適宜調整することにより、あるいは接着剤の種類を適宜選択することにより、フレームの中間部の剛性を調整することができ、これにより電気音響変換器の最低共振周波数の上昇量を調整することができる。
【００２３】
本願第２発明に係る電気音響変換器において、そのフレームの中間部がハウジングの周面壁と所定間隔をおいて配置された構成とし、これらフレームの中間部とハウジングの周面壁との間の隙間にも接着剤が充填された構成とすれば、フレームの中間部の剛性をさらに高めることができる。
【００２４】
上記構成において、フレームとアーマチャとが一体で構成されている場合には、部品点数の削減によりコスト低減を図ることができる反面、フレームの中間部の断面形状が小さくなってしまい、その剛性が低下しやすくなるので、本願発明の構成を採用することが特に効果的である。
【００２５】
また、上記構成において「接着剤」の種類が特に限定されるものでないことは上述したとおりであるが、この接着剤としてエポキシ系接着剤を用いるようにすれば、フレームとハウジングあるいはボビンとを強固に接着固定することができ、これによりフレームの中間部の剛性を十分に高めることができる。
【発明を実施するための最良の形態】
【００２６】
以下、図面を用いて、本願発明の実施の形態について説明する。
【００２７】
まず、本願発明の第１実施形態について説明する。
【００２８】
図１は、本実施形態に係る電気音響変換器１０を示す側断面図であり、図２は、その分解斜視図である。便宜上、以下の説明では、図１において右方向を「前方」、左方向を「後方」として説明する。
【００２９】
これらの図に示すように、本実施形態に係る電気音響変換器１０は、前後方向の長さが５〜８ｍｍ程度の略直方体の外形形状を有するバランスドアーマチャ型のレシーバであって、上方に開口するボトムハウジング１２と、このボトムハウジング１２内に収容された駆動ユニット１４と、ボトムハウジング１２の上端開口部１２ａを、ダイヤフラムアッシ１６を介して閉塞するトップハウジング１８とからなっている。
【００３０】
図３は、この電気音響変換器１０を、ダイヤフラムアッシ１６およびトップハウジング１８を外した状態で示す斜視図である。また、図４は、駆動ユニット１４をその主要構成要素に分解して示す分解斜視図である。
【００３１】
これらの図にも示すように、駆動ユニット１４は、アーマチャフレーム２０と、ボビン２２と、１対のマグネット２４と、磁性ホルダ２６と、励磁コイル２８と、連結片３０とからなっている。
【００３２】
アーマチャフレーム２０は、金属板を平面視において略Ｅ字状に折曲げ加工してなる部材であって、平面視において前方へ向けて開いたコ字形の鉛直板からなるフレーム３２と、このフレーム３２の中間部を構成する後面壁３２ａから前方へ向けて水平に延びる帯板状のアーマチャ３４とからなっている。このアーマチャ３４は、フレーム３２の後面壁３２ａの中央部において、その略下半部を切り起こすようにして形成されている。
【００３３】
ボビン２２は、図５に励磁コイル２８を外した状態でも示すように、ターミナル保持部３６と、コイル巻回部３８と、マグネット位置決め部４０とが前後方向に直列で配置されてなり、これら各部は樹脂材料の射出成形により一体的に形成されている。
【００３４】
ターミナル保持部３６は、ボビン２２の後端部において鉛直壁状に形成されている。そして、このターミナル保持部３６には、上記射出成形の際、金属板からなる左右１対のターミナル４２が、その上下両端部を突出させるようにしてインサートされている。また、マグネット位置決め部４０には、上記射出成形の際、該マグネット位置決め部４０を囲むようにして上記磁性ホルダ２６がインサートされている。
【００３５】
コイル巻回部３８は、前後方向に延びる左右１対の梁部材として構成されており、このコイル巻回部３８に導線が所定回数巻回されることにより、上記励磁コイル２８が形成されるようになっている。そして、この励磁コイル２８の１対のコイル端末２８ａは、各ターミナル４２の上端部４２ａに巻掛け固定されている。
【００３６】
ターミナル保持部３６およびマグネット位置決め部４０には、コイル巻回部３８における両梁部材間の空間と連通するようにして、これらを前後方向に貫通する貫通孔３６ａ、４０ａが形成されており、これによりアーマチャ３４を、ボビン２２の後方側から貫通孔３６ａを介して貫通孔４０ａの前方側に突出する位置まで前後方向に貫通させるようになっている。そして、マグネット位置決め部４０には、その貫通孔４０ａへ向けて左右両側から階段状に突出する間隙形成部４０ｂが形成されている。
【００３７】
磁性ホルダ２６は、偏平矩形断面で前後方向に延びる筒状部材であって、磁性体で構成されている。この磁性ホルダ２６は、該磁性ホルダ２６の上下内壁面とマグネット位置決め部４０の間隙形成部４０ｂとで、上記１対のマグネット２４を挟持するようになっている。その際、これら１対のマグネット２４は、マグネット位置決め部４０の貫通孔４０ａ内において上下方向に所定間隙をおいて配置され、両マグネット２４により該所定間隙を横断する直流磁界を形成するようになっている。
【００３８】
アーマチャフレーム２０は、そのアーマチャ３４がボビン２２の貫通孔３６ａ、４０ａの略中央を貫通するように位置決めされた状態で、そのフレーム３２の左右両面壁３２ｂの前端部において磁性ホルダ２６の左右外側面にレーザ溶接等によって固定されている。
【００３９】
このとき、アーマチャフレーム２０は、そのフレーム３２の後面壁３２ａが、ボビン２２のターミナル保持部３６と所定間隔をおいて平行に配置されるようになっている。そして、これらフレーム３２の後面壁３２ａとボビン２２のターミナル保持部３６との間の隙間には、エポキシ系接着剤５０が充填されている。このエポキシ系接着剤５０は、フレーム３２の後面壁３２ａの略全領域にわたって充填されている。
【００４０】
連結片３０は、所定の細長形状に打抜き加工された金属板に折曲げ加工が施されてなる逆Ｌ字状部材であって、上下方向に延びるように配置された状態で、その下端部３０ａにおいてアーマチャ３４の先端面３４ａにレーザ溶接等によって固定されている。このとき、連結片３０の上端部３０ｂは、磁性ホルダ２６の上方において後方へ向けて水平に延びている。
【００４１】
図１および２に示すように、ボトムハウジング１２は、略矩形状の上端開口部１２ａを有する箱形に形成されており、その底面部１２ｂの後端近傍部位には、左右１対の矩形孔１２ｃが形成されている。駆動ユニット１４は、このボトムハウジング１２内に収容される際、その１対のターミナル４２の下端部４２ｂおよびターミナル保持部３６の左右下端部に突出形成されたターミナル被覆部３６ｂが矩形孔１２ｃに挿入嵌合され、該矩形孔１２ｃを閉塞するようになっている。そして、駆動ユニット１４は、ボトムハウジング１２内に収容された状態で、その磁性ホルダ２６の下端面においてボトムハウジング１２の底面部１２ｂにレーザ溶接等によって固定されている。
【００４２】
このとき、駆動ユニット１４は、そのアーマチャフレーム２０におけるフレーム３２の後面壁３２ａが、ボトムハウジング１２の後面壁１２ｄと所定間隔をおいて平行に配置されるようになっている。
【００４３】
ダイヤフラムアッシ１６は、金属製のダイヤフラム４４と、ＰＥＴ等からなる樹脂フィルム４６と、金属製のダイヤフラムフレーム４８とからなり、ダイヤフラムフレーム４８内にダイヤフラム４４が配置されるとともに両部材４４、４８の上面に接着剤が塗布された状態で、その上方から樹脂フィルム４６が加熱圧着されることにより形成されている。そして、このダイヤフラムアッシ１６は、ボトムハウジング１２の上端開口部１２ａに載置された状態で、そのダイヤフラムフレーム４８においてボトムハウジング１２にレーザ溶接等により固定されている。
【００４４】
このダイヤフラムアッシ１６がボトムハウジング１２の上端開口部１２ａに載置される際、駆動ユニット１４の連結片３０の上端部３０ｂが、ダイヤフラム４４の下面に当接するようになっており、この状態で連結片３０とダイヤフラム４４とが接着固定されるようになっている。
【００４５】
トップハウジング１８は薄いリッド状部材であって、その前端部には放音孔を構成する切欠き部１８ａが形成されている。そして、このトップハウジング１８は、ダイヤフラムアッシ１６に載置された状態で、該ダイヤフラムフレーム４８にレーザ溶接等により固定されている。
【００４６】
次に、本実施形態に係る電気音響変換器１０の動作について説明する。
【００４７】
この電気音響変換器１０は、その駆動ユニット１４における１対のマグネット２４間に、この間隙を上下方向に横断する直流磁界が定常的に形成された状態にあるが、外部から励磁コイル２８に信号電流が印加されると、この励磁コイル２８を貫通するアーマチャ３４に信号電流に応じた磁束が発生し、このアーマチャ３４と両マグネット２４間に交流磁界が形成される。そして、この交流磁界が上記直流磁界に重畳されることにより、信号電流に応じた上下方向の力がアーマチャ３４に作用し、これによりアーマチャ３４が上下方向に撓み変形する。これに伴い、アーマチャ３４の先端面３４ａに固定された連結片３０が、図１に矢印で示すように上下方向に変位し、この上下変位がダイヤフラム４４に伝達されて該ダイヤフラム４４が振動する。そしてこれにより、信号電流に応じた音波が発生し、この音波が切欠き部１８ａから電気音響変換器１０の外部へ放射される。
【００４８】
その際、アーマチャフレーム２０におけるフレーム３２の後面壁３２ａとボビン２２のターミナル保持部３６との間の隙間には、エポキシ系接着剤５０がフレーム３２の後面壁３２ａの略全領域にわたって充填されており、このエポキシ系接着剤５０によって、フレーム３２の後面壁３２ａはボビン２２のターミナル保持部３６と接着固定された状態にあるので、上記隙間にエポキシ系接着剤５０が充填されていない場合に比して、フレーム３２の後面壁３２ａの剛性を大幅に高めることができる。
【００４９】
このように本実施形態によれば、バランスドアーマチャ型の電気音響変換器１０において、これをコンパクトな構成に維持した上で、そのアーマチャ３４を片持ち支持するフレーム３２の後面壁３２ａの剛性を大幅に高めることができる。そしてこれによりフレーム３２のアーマチャ３４に対する支持強度を大幅に高めることができるので、電気音響変換器１０の最低共振周波数を大幅に上昇させることができる。具体的には、最低共振周波数を１００〜２００Ｈｚ程度上昇させることができる。
【００５０】
次に、本願発明の第２実施形態について説明する。
【００５１】
図６は、本実施形態に係る電気音響変換器１１０を示す側断面図である。
【００５２】
同図に示すように、この電気音響変換器１１０は、その基本的な構成は上記第１実施形態の場合と全く同様であるが、エポキシ系接着剤５０の充填位置が上記第１実施形態の場合と異なっている。
【００５３】
すなわち、本実施形態においては、アーマチャフレーム２０におけるフレーム３２の後面壁３２ａとボトムハウジング１２の後面壁１２ｄとの間の隙間に、エポキシ系接着剤５０が充填されている。このエポキシ系接着剤５０は、フレーム３２の後面壁３２ａの略全領域にわたって充填されている。
【００５４】
本実施形態の構成を採用した場合には、エポキシ系接着剤５０によって、フレーム３２の後面壁３２ａは、その後方に隣接配置されたボトムハウジング１２の後面壁１２ｄと接着固定された状態にあるので、上記隙間にエポキシ系接着剤５０が充填されていない場合に比して、フレーム３２の後面壁３２ａの剛性を大幅に高めることができる。
【００５５】
次に、本願発明の第３実施形態について説明する。
【００５６】
図７は、本実施形態に係る電気音響変換器２１０を示す側断面図である。
【００５７】
同図に示すように、この電気音響変換器２１０は、その基本的な構成は上記第１実施形態の場合と全く同様であるが、エポキシ系接着剤５０の充填位置が上記第１実施形態の場合と異なっている。
【００５８】
すなわち、本実施形態においては、アーマチャフレーム２０におけるフレーム３２の後面壁３２ａとボビン２２のターミナル保持部３６との間の隙間、および、フレーム３２の後面壁３２ａとボトムハウジング１２の後面壁１２ｄとの間の隙間に、各々エポキシ系接着剤５０が充填されている。このエポキシ系接着剤５０は、フレーム３２の後面壁３２ａの前後両面いずれにおいても、その略全領域にわたって充填されている。
【００５９】
本実施形態の構成を採用した場合には、エポキシ系接着剤５０によって、フレーム３２の後面壁３２ａは、その前後両側に隣接配置されたボビン２２のターミナル保持部３６およびボトムハウジング１２の後面壁１２ｄの双方に接着固定された状態にあるので、上記各隙間にエポキシ系接着剤５０が充填されていない場合に比して、フレーム３２の後面壁３２ａの剛性をさらに大幅に高めることができる。
【００６０】
次に、本願発明の第４実施形態について説明する。
【００６１】
図８は、本実施形態に係る電気音響変換器３１０を示す側断面図である。
【００６２】
同図に示すように、この電気音響変換器３１０は、そのエポキシ系接着剤５０の充填位置は上記第２実施形態の場合と同様であるが、駆動ユニット１４の構成要素としてボビン２２を備えていない点で上記第２実施形態の場合と異なっている。
【００６３】
すなわち、本実施形態においては、励磁コイル２８が、その前端面において磁性ホルダ２６の後端面に接着固定されている。また、ボトムハウジング１２の後面壁１２ｄの外面には、絶縁被膜５２を介して１対のランド５４が左右方向に所定間隔をおいて設けられている。そして、これら各ランド５４には、励磁コイル２８から延びる１対のコイル端末２８ａがハンダ５６により導通固定されている。なお、ボトムハウジング１２の後面壁１２ｄの上部には、両コイル端末２８ａを挿通させるための貫通孔（図示せず）が形成されているが、この貫通孔は、フレーム３２の後面壁３２ａとボトムハウジング１２の後面壁１２ｄとの間に充填されたエポキシ系接着剤５０によって閉塞されるようになっている。
【００６４】
本実施形態の構成を採用した場合にも、上記第２実施形態の場合と同様、エポキシ系接着剤５０によって、フレーム３２の後面壁３２ａは、その後方に隣接配置されたボトムハウジング１２の後面壁１２ｄと接着固定された状態にあるので、上記隙間にエポキシ系接着剤５０が充填されていない場合に比して、フレーム３２の後面壁３２ａの剛性を大幅に高めることができる。
【００６５】
次に、本願発明の第５実施形態について説明する。
【００６６】
図９は、本実施形態に係る電気音響変換器４１０を示す側断面図である。
【００６７】
同図に示すように、この電気音響変換器４１０は、その基本的な構成およびエポキシ系接着剤５０の充填位置は上記第４実施形態の場合と同様であるが、アーマチャフレーム２０の構成が上記第４実施形態の場合と異なっている。
【００６８】
すなわち、本実施形態においては、アーマチャフレーム２０を構成するフレーム３２とアーマチャ３４とが別体で構成されており、アーマチャ３４の後端部がフレーム３２における後面壁３２ａの中央部にレーザ溶接等により固定されている。なお、本実施形態においても、ボトムハウジング１２の後面壁１２ｄの上部に形成された両コイル端末２８ａを挿通させるための貫通孔（図示せず）は、フレーム３２の後面壁３２ａとボトムハウジング１２の後面壁１２ｄとの間に充填されたエポキシ系接着剤５０によって閉塞されるようになっている。
【００６９】
本実施形態の構成を採用した場合にも、上記第４実施形態の場合と同様、エポキシ系接着剤５０によって、フレーム３２の後面壁３２ａは、その後方に隣接配置されたボトムハウジング１２の後面壁１２ｄと接着固定された状態にあるので、上記隙間にエポキシ系接着剤５０が充填されていない場合に比して、フレーム３２の後面壁３２ａの剛性を大幅に高めることができる。
【００７０】
特に本実施形態においては、フレーム３２の後面壁１２ｄに、上記第４実施形態のような切り起こし部分がないので、フレーム３２自体の剛性を高めることができ、しかも、このフレーム３２の後面壁３２ａとボトムハウジング１２の後面壁１２ｄとの接着面積を広く確保することができるので、この点においてもフレーム３２の後面壁１２ｄの剛性を高めることができる。
【００７１】
なお、上記各実施形態においては、電気音響変換器１０の最低共振周波数を最大限に上昇させるため、エポキシ系接着剤５０がフレーム３２の後面壁３２ａの略全領域にわたって充填されているものとして説明したが、これによって最低共振周波数が上昇しすぎてしまうような場合には、エポキシ系接着剤５０の充填量を減らしたり充填範囲を狭くして、最低共振周波数の上昇量を抑制することも可能である。
【００７２】
また、上記各実施形態においては、エポキシ系接着剤５０を用いることにより、フレーム３２の後面壁３２ａとボビン２２のターミナル保持部３６あるいはボトムハウジング１２の後面壁１２ｄとを強固に接着固定するようになっているが、これによって最低共振周波数が上昇しすぎてしまうような場合には、ゴム系接着剤等を用いて接着固定強度を低下させることにより、最低共振周波数の上昇量を抑制することも可能である。
【図面の簡単な説明】
【００７３】
【図１】本願発明の第１実施形態に係る電気音響変換器を示す側断面図
【図２】上記電気音響変換器を示す分解斜視図
【図３】上記電気音響変換器を、ダイヤフラムアッシおよびトップハウジングを外した状態で示す斜視図
【図４】上記電気音響変換器の駆動ユニットを、その主要構成要素に分解して示す分解斜視図
【図５】上記駆動ユニットのボビンを、励磁コイルを外した状態で示す斜視図
【図６】本願発明の第２実施形態に係る電気音響変換器を示す側断面図
【図７】本願発明の第３実施形態に係る電気音響変換器を示す側断面図
【図８】本願発明の第４実施形態に係る電気音響変換器を示す側断面図
【図９】本願発明の第５実施形態に係る電気音響変換器を示す側断面図
【符号の説明】
【００７４】
１０、１１０、２１０、３１０、４１０  電気音響変換器
１２  ボトムハウジング
１２ａ  上端開口部
１２ｂ  底面部
１２ｃ  矩形孔
１２ｄ  後面壁
１４  駆動ユニット
１６  ダイヤフラムアッシ
１８  トップハウジング
１８ａ  切欠き部
２０  アーマチャフレーム
２２  ボビン
２４  マグネット
２６  磁性ホルダ
２８  励磁コイル
２８ａ  コイル端末
３０  連結片
３０ａ  下端部
３０ｂ  上端部
３２  フレーム
３２ａ  後面壁
３２ｂ  左右両面壁
３４  アーマチャ
３６  ターミナル保持部
３６ａ  貫通孔
３６ｂ  ターミナル被覆部
３８  コイル巻回部
４０  マグネット位置決め部
４０ａ  貫通孔
４０ｂ  間隙形成部
４２  ターミナル
４２ａ  上端部
４２ｂ  下端部
４４  ダイヤフラム
４６  樹脂フィルム
４８  ダイヤフラムフレーム
５０  エポキシ系接着剤
５２  絶縁被膜
５４  ランド
５６  ハンダ
【図１】
2005236844.tif 000003
【図２】
2005236844.tif 000004
【図３】
2005236844.tif 000005
【図４】
2005236844.tif 000006
【図５】
2005236844.tif 000007
【図６】
2005236844.tif 000008
【図７】
2005236844.tif 000009
【図８】
2005236844.tif 000010
【図９】
2005236844.tif 000011